(57)【要約】【課題】実用性、エコ、および経済効果を高めることが可能なシュシュを提供する。【解決手段】  伸縮自在なリング５０と装飾部５１とを備える。装飾部５１は、内部に１つの貫通穴５１０が形成されており、貫通穴５１０が伸縮自在なリング５０の一部を収容可能であり、片側に長穴５１１が形成されており、長穴５１１と貫通穴５１０とが連通されており、長穴５１１から貫通穴５１０内に伸縮自在なリング５０を押し込み可能である。よって、伸縮自在なリングがその長穴からの離脱を防止することができる。【選択図】図５
2017131329.tif 000002
【特許請求の範囲】
【請求項１】
伸縮自在なリングを備えるシュシュであって、
伸縮自在なリングと装飾部とを備え、
前記装飾部は、内部に１つの貫通穴が形成されており、前記貫通穴が前記伸縮自在なリングの一部を収容可能であり、片側に長穴が形成されており、前記長穴と前記貫通穴とが連通されており、前記長穴から前記貫通穴内に前記伸縮自在なリングを押し込み可能であることを特徴とするシュシュ。
【請求項２】
前記伸縮自在なリングは、１つの繋目を有する縄リング、繋目無のリング、又は、複数の弾性線で成形されているリングであることを特徴とする請求項１記載のシュシュ。
【請求項３】
前記貫通穴は、直線形又は曲線形であることを特徴とする請求項１記載のシュシュ。
【請求項４】
前記長穴は、横断面上において、表側が奥側より広く形成されている形状、表側と奥側との間が表側および奥側より狭く形成されている形状、又は、表側から奥側まで同じ幅を有する形状であることを特徴とする請求項１記載のシュシュ。
【請求項５】
前記長穴は、縦断面状において、直線形状、斜線形状、曲線形状、又は、不規則な線形状であることを特徴とする請求項１記載のシュシュ。
【請求項６】
前記装飾部は、１つの交換可能な拡張部を有することを特徴とする請求項１記載のシュシュ。
【発明の詳細な説明】
【技術分野】
【０００１】
本発明は、装飾具に関し、詳しくは伸縮自在なリングを備えるシュシュに関する。
【背景技術】
【０００２】
従来のシュシュ構造は以下の通りである。図１に示す第一種の従来のシュシュ１は、１つの縄体１０、装飾部１１と１つのクリップ１２により構成され、その組み立て方法は、先ず縄体１０の一端が装飾部１１の貫通穴１１０を貫通し、更にクリップ１２で縄体１０の両端を挟み固定することによって、縄体１０を１つの縄輪構造にするし、第一種の従来のシュシュの組み立てが完了する。
【０００３】
図２に示す第二種の従来のシュシュ２は、１つの縄体２０と装飾部２１により構成され、その組み立て方法は、先ず縄体２０の一端が装飾部２１の貫通穴２１０を貫通し、更に装飾部２１内に縄体２０の両端を入れ込み、また縄体２０の両端を装飾部２１の内部に粘着固定することによって、縄体２０を１つの環状構造にし、第二種の従来のシュシュの組み立てが完了する。
【０００４】
図３に示す第三種の従来のシュシュ３は、１つの縄体３０、装飾部３１と１つの結合部３２により構成され、その組み立て方法は、先ず縄体３０の両端と結合部３２を挟み固定又は粘着固定することによって結合させ、縄体３０を１つの縄輪構造にし、更に結合部３０と装飾部３１を結合させ、第三種の従来のシュシュの組み立てが完了する。
【０００５】
図４に示す第４種類の従来のシュシュ４は、１つの縄体４０と装飾部４１により構成され、その組み立て方法は、直接縄体４０の一端が装飾部４１の貫通穴４１０を貫通し、更に縄体４０の両端を合着又は結ぶことによって、縄体４０を１つの縄輪構造にし、シュシュの組み立てが完了する。
【０００６】
しかし前述した４種類のシュシュの欠点は、シュシュの縄体とクリップ、装飾部又は結合部が一体になり、又は合着又は結ぶ方式によって縄体を１つの縄輪構造にするため、使用者が従来のシュシュを使うとき、装飾部の位置調整が難しくなり、かつ縄体が断裂又は弾性疲労となったとき、使用者は自分でシュシュの縄体の交換ができないため、特殊又は高価な装飾部が捨てられ、シュシュの実用性が低くなり、しかもエコではない。更に前述した４種類の従来のシュシュを組み立てるとき、少なくとも２つの加工工程が必要であり、かつ組み立て工程においての夾合、合着又は結ぶ加工方式は精密であるため、シュシュの組立コストが高くなるので、シュシュの経済効果がなくなる。
【先行技術文献】
【特許文献】
【０００７】
【特許文献１】特開２０１３−１７７１９号公報
【発明の概要】
【発明が解決しようとする課題】
【０００８】
本発明の目的は、一種の１つの貫通穴と１つの貫通穴とを連通する長穴を有する装飾部によって、１つの伸縮自在なリングを直接に装飾部内に押し込み、また装飾部が伸縮自在なリングの上で思うままに移動し、かつ伸縮自在なリングから脱落せず、伸縮自在なリングの組み立て又は交換が完了し、組み立てコストを節約可能であり、装飾部を繰り返して使用し、使用者のニーズによって各種の伸縮自在なリングを交換することが可能であり、実用性、エコ、および経済効果を高めることが可能なシュシュを提供することにある。
【課題を解決するための手段】
【０００９】
本発明のシュシュは、伸縮自在なリングを備えるシュシュであって、伸縮自在なリングと装飾部とを備える。装飾部は、内部に１つの貫通穴が形成されており、貫通穴が伸縮自在なリングの一部を収容可能であり、片側に長穴が形成されており、長穴と貫通穴とが連通されており、長穴から貫通穴内に伸縮自在なリングを押し込み可能である。よって、伸縮自在なリングがその長穴からの離脱を防止することができる。
本発明のシュシュにおいて、伸縮自在なリングは、１つの繋目を有する縄リング、繋目無のリング、又は、複数の弾性線で成形されているリングである。
本発明のシュシュの貫通穴は、直線形又は曲線形である。
【００１０】
本発明のシュシュの長穴は、横断面上において、表側が奥側より広く形成されている形状、表側と奥側との間が表側および奥側より狭く形成されている形状、又は、表側から奥側まで同じ幅を有する形状である。かつ前述した長穴は、縦断面状において、直線形状、斜線形状、曲線形状又は他の不規則な線形状であって、伸縮自在なリングがその長穴からの離脱を防止する。
本発明のシュシュの装飾部は、１つの拡張部を有し、その拡張部は１つの交換可能な構造であって、装飾部の造形変化の可拡張性を高めることができる。
【図面の簡単な説明】
【００１１】
【図１】従来のシュシュを示す分解視図である。
【図２】従来のシュシュを示す分解視図である。
【図３】従来のシュシュを示す側視図である。
【図４】従来のシュシュを示す側視図である。
【図５】本発明のシュシュを示す斜視図である。
【図６】本発明のシュシュを示す分解斜視図である。
【図７】本発明のシュシュに要部を示す平面図である。
【図８】図７の断面図である。
【図９】本発明の装飾部を示す平面図である。
【図１０】図９の断面図である。
【図１１】本発明のシュシュの実施例（一）を示す断面図である。
【図１２】本発明のシュシュの実施例（二）を示す断面図である。
【図１３】本発明の装飾部の実施例（一）を示す平面図である。
【図１４】本発明の装飾部の実施例（二）を示す平面図である。
【図１５】本発明の装飾部の実施例（三）を示す平面図である。
【図１６】本発明の装飾部の実施例（四）を示す断面図である。
【図１７】本発明の装飾部の実施例（五）を示す断面図である。
【図１８】本発明の装飾部の実施例（六）を示す断面図である。
【図１９】本発明のシュシュの応用状態を示す図である。
【図２０】図１９の要部を示す拡大図である。
【発明を実施するための形態】
【００１２】
以下に、本願発明をより良く理解できるように、図５〜２０を用いて説明する。
シュシュ５に伸縮自在なリング５０を設け、その伸縮自在なリング５０は一体成型（例：輪ゴム又はプラスチック輪）、又は１つの縄体によって成形し、かつ伸縮自在なリングに視覚的な美感を高めるために、伸縮自在なリング５０は各種の色又は仕様変化を備える（例：複数の色の弾性線により編んだ伸縮自在なリング）。前述したシュシュ５に装飾部５１を設け、その装飾部５１はいかなる形（図１３〜図１８参照）であることができる。前述した装飾部５１の内部に１つの貫通穴５１０を設け、前述した伸縮自在なリング５０を入れ、その貫通穴５１０は直線形又は曲線形であることができる。前述した装飾部５１の片側に長穴５１１を設け、その長穴５１１と前述した貫通穴５１０を連接することにより、前述した長穴５１１の穴径は外方が広く、内方が狭い形（図８、図１０、図１１参照）、中間部分が狭い形（図１２参照）、同じ幅（図なし）、又は他の形であることができる。よって前述した伸縮自在なリング５０を楽にその長穴５１１から貫通穴５１０内に填まり込み、また伸縮自在なリング５０がその長穴５１１からの離脱を防止する（図８、図１０参照）。前述した長穴５１１の形は直線形、斜線形、曲線形又は他の不規則な線形であって（図１３〜図１５参照）、伸縮自在なリング５０がその長穴５１１からの離脱を防止する。
【００１３】
図１８に示す如く、前述した装飾部５１に１つの拡張部５１２を設け、装飾部５１の造形変化の可拡張性を高めるために、その拡張部５１２は１つの交換可能の構造（例：係合構造又は嵌合構造）であることができる。使用者は思うままに必要な拡張部５１２を交換するために、前述した拡張部５１２は１つのプラスチックアクセサリー、金属アクセサリー、陶器アクセサリー、布アクセサリー、又は宝石アクセサリー等のアクセサリーであることができる。
【００１４】
図６及８に示す如く、本発明のシュシュ５を組み立てるとき、伸縮自在なリング５０を装飾部５１の長穴５１１から貫通穴内に嵌め込むと、シュシュの組み立てが完了する。かつ使用者がシュシュ５を使うとき、伸縮自在なリング５０が切られ、長期使用による伸縮自在なリング５０の緩み・脱落、又は色・質感・仕様が違う伸縮自在なリング５０に交換したいとき、直接伸縮自在なリング５０を剪断し、又は装飾部５１を逆方向に引っ張り出せば、伸縮自在なリング５０の交換が可能で、使用者は新しいシュシュを購入する必要はなく、お気に入りの装飾部５１をそのまま使える。また装飾部５１に合わせて、色々な伸縮自在なリング５０を選ぶことができる。よって、メーカーは高い価値を保ち、又は高経済価値の装飾部５１、例えばブランド装飾部、有名デザイナーが設計した装飾部、ユニークなカスタマイズ装飾部、又は黄金・プラチナ、ダイヤモンド又は宝石等の経済価値の高い材料で作った装飾部により多くのコストを投入して研究開発し、シュシュの経済価値を高めることができる。
【００１５】
図１９及２０に示す如く、使用者が本発明のシュシュ５を使うとき、シュシュ５の装飾部５１は伸縮自在なリング５０の上で思うままに移動できるために、装飾部５１の位置を調整しやすく、一層便利に使えることは、本案の目的である。
【００１６】
本発明の商品形態、構造又は使用方式は、前述した実施例又は図式に限定されるものではない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【符号の説明】
【００１７】
５  シュシュ、
５０  伸縮自在なリング、
５１  装飾部、
５１０  貫通穴、
５１１  長穴、
５１２  拡張部。
【図１】
2017131329.tif 000003
【図２】
2017131329.tif 000004
【図３】
2017131329.tif 000005
【図４】
2017131329.tif 000006
【図５】
2017131329.tif 000007
【図６】
2017131329.tif 000008
【図７】
2017131329.tif 000009
【図８】
2017131329.tif 000010
【図９】
2017131329.tif 000011
【図１０】
2017131329.tif 000012
【図１１】
2017131329.tif 000013
【図１２】
2017131329.tif 000014
【図１３】
2017131329.tif 000015
【図１４】
2017131329.tif 000016
【図１５】
2017131329.tif 000017
【図１６】
2017131329.tif 000018
【図１７】
2017131329.tif 000019
【図１８】
2017131329.tif 000020
【図１９】
2017131329.tif 000021
【図２０】
2017131329.tif 000022